(57)【要約】【課題】床出し継手の本体部及び管接続部が保護部材にて保護され、その管接続部で漏水が発生した場合にも、床下を水浸しにする前に水漏れを早期に察知することができ、漏水対策を講じることができる床出し配管構造を提供する。【解決手段】床孔１１１内に、上端部に鍔部１２２を有し下端部に床下配管挿通孔１２３を有する保護部材１２が、その鍔部１２２を床孔周囲床上に係止するように装着され、該保護部材１２内に、上端部に床上配管接続部１３２を有し下端部に床下配管接続部１３３を有する床出し継手１３が収納され、該床出し継手１３の床下配管接続部１３３に前記保護部材１２の下端部に設けられた床下配管挿通孔１２３より導入された床下配管１４の末端部が接続された床出し配管構造であって、前記保護部材１２の床下配管挿通孔１２３に前記床下配管がパッキング１２３ｂを介して水密状態にて挿通され、前記保護部材１２の鍔部１２２に、内部に漏れた水を外部に排出する排水溝１２２ａが設けられている。【選択図】　図１
2004011886.tif 000002
【特許請求の範囲】
【請求項１】
床孔内に、上端部に鍔部を有し下端部に床下配管挿通孔を有する保護部材が、その鍔部を床孔周囲床上に係止するように装着され、該保護部材内に、上端部に床上配管接続部を有し下端部に床下配管接続部を有する床出し継手が収納され、該床出し継手の床下配管接続部に前記保護部材の下端部に設けられた床下配管挿通孔より導入された床下配管の末端部が接続された床出し配管構造であって、前記保護部材の床下配管挿通孔に前記床下配管がパッキングを介して水密状態にて挿通され、前記保護部材の鍔部に、内部に漏れた水を外部に排出する排水溝が設けられていることを特徴とする床出し配管構造。
【発明の詳細な説明】
【０００１】
【発明の属する技術分野】
本発明は、建屋における給水、給湯等の床下配管から、床上に配管を立ち上げる床出し配管構造に関するものである。
【０００２】
【従来の技術】
従来、床下配管から床上に配管を立ち上げる場合、通常、床出し継手を床孔の周囲壁に固定し、その下端部の床下配管接続部に床下配管を接続することが行われている。
しかしながら、この方法の場合には、床出し継手の管接続部で漏水が発生した場合に、気付くのが遅れてしまい、床下が水浸しとなり、特に階下がある場合には階下に水漏れが拡大して、大変に事態となるという不都合がある。
【０００３】
また、鞘管式配管から建屋内への給水、給湯等の配管を施工する方法として、例えば、特開平６−２８１０７７号公報に記載され、図３にも示すよように、略中央部に曲り部を有し、前記曲り部の内径は両端部よりも大径とした立ち上げコーナー材ａを用いて、鞘管式配管から立ち上げ部材ａ内を通して床上に出した樹脂管ｂの端部を、メカニカル継手ｃにより床ｄに固定する方法が提案されている。
【０００４】
しかしながら、この方法の場合にも、メカニカル継手ｃの管接続部で水漏れが発生した場合には、漏れた水は、立ち上げコーナー材ａを経て鞘管内に充満するので、不衛生があるのみならず、立ち上げコーナー材ａと鞘管との接続部や、鞘管同士の接続部分等から漏水が発生した場合に、気付くのが遅れてしまい、床下が水浸しとなり、特に階下がある場合には階下に水漏れが拡大して、大変に事態となるという不都合がある。
【０００５】
【発明が解決しようとする課題】
本発明は、上記のような従来の問題点を解消し、床出し継手の本体部及び管接続部が保護部材にて保護され、その管接続部で漏水が発生した場合にも、床下を水浸しにする前に水漏れを早期に察知することができ、漏水対策を講じることができる床出し配管構造を提供することを目的としてなされたものである。
【０００６】
【課題を解決するための手段】
本発明は、床孔内に、上端部に鍔部を有し下端部に床下配管挿通孔を有する保護部材が、その鍔部を床孔周囲床上に係止するように装着され、該保護部材内に、上端部に床上配管接続部を有し下端部に床下配管接続部を有する床出し継手が収納され、該床出し継手の床下配管接続部に前記保護部材の下端部に設けられた床下配管挿通孔より導入された床下配管の末端部が接続された床出し配管構造であって、前記保護部材の床下配管挿通孔に前記床下配管がパッキングを介して水密状態にて挿通され、前記保護部材の鍔部に、内部に漏れた水を外部に排出する排水溝が設けられている床出し配管構造である。
【０００７】
【作用】
本発明の床出し配管構造は、前記保護部材の床下配管挿通孔に前記床下配管がパッキングを介して水密状態にて挿通され、前記保護部材の鍔部に、内部に漏れた水を外部に排出する排水溝が設けられていることにより、床出し継手の継手本体部及び床上配管接続部と床下配管との接続部は保護部材内に収納されていて保護されているので破損しにくく、万一、接続部より水漏れが発生した場合にも、保護部材内に水が溜まったのち、鍔部に設けられた排水溝より外部に流出するので、水漏れ発生を早期の察知することができ、床下が水浸しとなったり、特に階下がある場合には階下に水漏れが拡大して、大事態に至るおそれがない。
【０００８】
【発明の実施の形態】
以下、本発明の実施の形態を図面を参照して説明する。
図１は、本発明の床出し配管構造の一例を示す一部断面図であり、図２は図１に示す床出し配管構造に使用される保護部材の一例を示す断面図である。
図１及び図２に示すように、この床出し配管構造１は、床１１に設けられた床孔１１１に装着される保護部材１２と、保護部材１２内に収納される床出し継手１３と、床出し継手１３に接続される床下配管１４からなる。
【０００９】
保護部材１２は、上方が開口する円筒状の保護部材本体部１２１の上端部に外周に周方向に沿う鍔部１２２が設けられ、下端部に床下配管挿通孔１２３が設けられたものからなる。鍔部１２２には保護部材内に漏れた水を外部に排出する排水溝１２２ａが設けられている。床下配管挿通孔１２３の周囲壁には、周方向に沿う凹溝１２３ａが設けられ、凹溝１２３ａ内にパッキング１２３ｂが装着されている。
保護部材１２は、床１１に設けられた床孔１１１内に、その保護部材本体部１２１が挿通され、その鍔部１２２を床孔周囲床上に係止するように装着されている。
【００１０】
床出し継手１３は、継手本体部１３１の上端部に床上配管接続部１３２が設けられ、下端部に床下配管接続部１３３が設けられたものからなる。継手本体部１３１の外周には周方向に沿う鍔部１３１ａが設けられている。
床出し継手１３は、保護部材１２内に、その鍔部１２２を鍔部１２２上に係止するようにして収納されている。
【００１１】
床出し継手１３の床下配管接続部１３３には、保護部材１２の下端部に設けられた床下配管挿通孔１２３より導入された床下配管１４の末端部が接続されている。床下配管１４は、保護部材１２の床下配管挿通孔１２３にパッキング１２３ｂを介して水密状態にて接続されている。
【００１２】
そして、この床出し継手１３の床上配管接続部１３２に、図示しない床上配管を接続して使用することとなるが、床出し継手１３の継手本体部１３１及び床上配管接続部１３２と床下配管１４との接続部は保護部材１２内に収納されていて保護されているので破損しにくく、万一、接続部より水漏れが発生した場合にも、保護部材１２内に水が溜まったのち、鍔部１２２に設けられた排水溝１２２ａより外部に流出するので、水漏れ発生を早期の察知することができ、床下が水浸しとなったり、特に階下がある場合には階下に水漏れが拡大して、大事態に至るおそれがない。
【００１３】
【発明の効果】
本発明の床出し配管構造は、上記のとおりの構成とされているので、床出し継手の本体部及び管接続部が保護部材にて保護されていて破損しにくく、その管接続部で漏水が発生した場合にも、床下を水浸しにする前に水漏れを早期に察知することができ、漏水対策を講じることができる。
【図面の簡単な説明】
【図１】本発明の床出し配管構造の一例を示す一部断面図である。
【図２】図１に示す床出し配管構造の一例に使用される保護部材の一例を示す断面図である。
【図３】従来の配管構造を説明する一部断面図である。
【符号の説明】
１　床出し配管構造
１１　床
１２　保護部材
１３　床出し継手
１４　床下配管
１１１　床孔
１２２　鍔部
１２２ａ　排水溝
１２３　床下配管挿通孔
１２３ｂ　パッキング
１３２　床上配管接続部
１３３　床下配管接続部
【図１】
2004011886.tif 000003
【図２】
2004011886.tif 000004
【図３】
2004011886.tif 000005